(57)【特許請求の範囲】
【請求項１】
外周面にプーリ溝を有するプーリを回転させながら、周方向に伸長可能なベルトを前記プーリ溝に取り付けるためのベルト取付治具であって、
少なくとも前記ベルトがプーリ溝に嵌るまで、当該ベルト取付治具を前記プーリに固定するための固定手段と、前記ベルトがプーリ軸方向に滑ってプーリ溝に嵌るまで、前記ベルトの一部を受けてプーリフランジよりもプーリ軸方向外側に保持する保持面と、前記プーリよりもプーリ軸方向外側で前記保持面よりもプーリの回転方向前方を通るベルトを前記保持面に導入する導入面と、前記ベルトの捩れを防止する捩れ防止部と、を備え、
前記捩れ防止部は、当該ベルト取付治具のプーリへの固定状態で前記保持面よりもプーリの回転方向前方かつ前記プーリよりもプーリ軸方向外側に位置する部位に設けられ、前記捩れ防止部に、前記導入面と対向する壁面が形成され、前記導入面は、プーリ軸方向及びプーリの回転方向に対して傾斜して形成されたことを特徴とするベルト取付治具。
【請求項２】
前記捩れ防止部は、プーリ軸方向と直交する板状に形成されたことを特徴とする請求項１に記載のベルト取付治具。
【請求項３】
前記ベルトの一部をプーリ溝の溝底に向けて押さえる押え部が設けられ、該押え部は、当該ベルト取付治具のプーリへの固定状態で前記保持面よりもプーリの回転方向後方かつ前記プーリ溝の外周側に位置する部位に設けられたことを特徴とする請求項１又は２に記載のベルト取付治具。
【発明の詳細な説明】
【技術分野】
【０００１】
本発明は、外周面にプーリ溝を有するプーリを回転させながら、周方向に伸長可能なベルトを前記プーリ溝に取り付けるためのベルト取付治具に関するものである。
【背景技術】
【０００２】
一般に、外周面にプーリ溝を有するプーリにベルトを掛巻してなるベルト伝動機構には、ベルトをプーリに取り付けてから所定のベルト張力を付与するように、テンションプーリなどの張力調整手段が設けられている。
【０００３】
このような張力調整手段を不要にするため、プーリに取り付ける際に周方向に伸長させてプーリフランジを乗り越えさせるようにしたベルトが出現しており、さらに、例えば特許文献１は、ベルトを周方向に伸長させながらプーリフランジを乗り越えさせてプーリ溝に嵌め込むためのベルト取付治具を開示している。
【０００４】
図１４に、特許文献１が開示するベルト取付治具を示す。ベルト取付治具１０１は、プーリ１０２に装着して使用するものであり、このベルト取付治具１０１よりもプーリ回転方向後方のプーリ溝１０３にベルト１０４を嵌めると共に、ベルト１０４を保持面１０５に掛けて保持して、ベルト取付治具１０１よりもプーリ回転方向前方でプーリ１０２よりもプーリ軸方向外方にベルト１０４を通すようになっている。さらに、プーリ１０２のセンターボルト１０６に工具を装着して回転させて、ベルト取付治具１０１をプーリ回転方向前方に進め、ベルト１０４のうちのプーリ溝１０３に嵌る範囲を徐々に広げることにより、ベルト１０４がプーリ１０２に取り付けられる。
【先行技術文献】
【特許文献】
【０００５】
【特許文献１】特開２００６−３００１７２号公報（段落番号００２８、００３５、００３６、００４３、００４４、図６）
【発明の概要】
【発明が解決しようとする課題】
【０００６】
ところで、特許文献１などに記載されたベルト取付治具は、これに掛けたベルトをプーリの軸方向外側を通すようにしているので、プーリを回転させながらベルトを取り付ける際、そのベルトがプーリの軸方向外側の面に接触して擦れる。
【０００７】
特に、ベルトを掛巻する複数のプーリの軸間距離が短い場合、ベルトのうちのプーリの軸方向外側から他のプーリのプーリ溝まで掛け渡される部位は、プーリ軸方向への傾斜角度が大きくなりやすく、回転するプーリに接触して擦れる。しかも、プーリの軸間距離が短い場合には、ベルトの全長が短くなるので、ベルトを引き伸ばしてプーリフランジを乗越えさせる際のベルトの伸び率が大きく、ベルトを取り付ける際のベルト張力が大きくなって、ベルトがプーリに対して強く擦れるようになる。
【０００８】
このような回転するプーリに対するベルトの擦れは、プーリ間に掛け渡されたベルトの捩れを生じさせて、ベルトの裏返りやリブずれなどの原因となりやすく、ベルトの取付作業性を低下させるおそれがある。
【０００９】
本発明は、ベルトを取り付ける際、ベルトの姿勢を安定させてベルトの捩れを防止することのできるベルト取付治具を提供することを目的とする。
【課題を解決するための手段】
【００１０】
上記目的を達成するために、本発明に係るベルト取付治具は、外周面にプーリ溝を有するプーリを回転させながら、周方向に伸長可能なベルトをプーリ溝に取り付けるためのものであり、少なくともベルトがプーリ溝に嵌るまで、このベルト取付治具をプーリに固定するための固定手段と、ベルトがプーリ軸方向に滑ってプーリ溝に嵌るまで、ベルトの一部を受けてプーリフランジよりもプーリ軸方向外側に保持する保持面と、プーリよりもプーリ軸方向外側で保持面よりもプーリの回転方向前方を通るベルトを保持面に導入する導入面と、ベルトの捩れを防止する捩れ防止部と、を備えたものである。さらに、捩れ防止部を、ベルト取付治具のプーリへの固定状態で保持面よりもプーリの回転方向前方かつプーリよりもプーリ軸方向外側に位置する部位に設けたものである。
【００１１】
上記構成によれば、保持面よりもプーリの回転方向前方かつプーリよりもプーリ軸方向外側に位置する部位に捩れ防止部を設けるので、ベルトのうちのプーリの軸方向外側を通してプーリ間に掛け渡された部位の捩れを防止することができる。これにより、ベルトを取り付ける際、ベルトのうちの回転するプーリの軸方向外側を通る部位がプーリに接触して擦れることによるベルトの裏返りやリブずれなどを防止することができ、ベルトの取り付け作業性を向上させることができる。しかも、プーリの軸方向外側を通るベルトを導入面に沿わせて滑らかに保持面まで導入することができる。
【００１２】
ここで、保持面は、プーリフランジよりもプーリ軸方向外側に位置し、半径方向の位置がプーリフランジの外周面と同程度に設定された面である。この保持面を境にして、プーリ回転方向の後方ではプーリ溝にベルトを嵌め、プーリ回転方向の前方ではプーリの軸方向外側にベルトを通すことにより、ベルトを張力のない状態でプーリおよびベルト取付治具に掛けることができる。さらに、プーリを回転させたとき、これに追随してベルト取付治具も周方向に回転するので、ベルト取付治具よりもプーリ回転方向前方でプーリの軸方向外側を通るベルトが、半径方向外向きに移動して、プーリフランジの外周面よりも半径方向外側に至ったとき、プーリフランジを乗り越えるように滑ってプーリ溝に嵌る。
【００１３】
さらに、捩れ防止部に、導入面と対向する壁面を形成するようにしてもよい。
【００１４】
この構成によれば、捩れ防止部に、導入面と対向する壁面を形成するので、捩れ防止部の壁面と導入面との間にベルトを挟むようにしてベルトの捩れを防止することができ、導入面をベルトの捩れを防止する手段として利用することができる。
【００１５】
また、導入面は、プーリ軸方向及びプーリの回転方向に対して傾斜して形成するのが好適である。
【００１６】
この構成によれば、ベルトをベルト幅方向に無理に曲げることなく、プーリの軸方向外側から保持面を通ってプーリ溝まで導くことができる。これにより、ベルトを無理に曲げることによるベルト長さのロスを抑えることができるので、ベルトを過度に引き伸ばすことなく取り付けることができ、ベルト取付時のベルト張力を小さくすることができる。
【００１７】
また、プーリ軸方向及びプーリ回転方向に対して傾斜する導入面を形成する場合、捩れ防止部をプーリ軸方向と直交する板状に形成するのが好適である。
【００１８】
この構成によれば、導入面がプーリ軸方向及びプーリ回転方向に対して傾斜しているので、捩れ防止部をプーリ軸方向と直交する板状に形成しつつ、その壁面を導入面と対向させることができ、導入面と対向する壁面を有する捩れ防止部を簡単な形状に設定することができる。この場合、捩れ防止部の壁面と導入面とが傾斜して対向することにより、壁面及び導入面が開放部分の拡がったＶ字状の溝を構成するので、壁面と導入面との間にベルトを容易に挿入してその捩れを防止することができる。
【００１９】
また、ベルトの一部をプーリ溝の溝底に向けて押さえる押え部を設け、この押え部を、ベルト取付治具のプーリへの固定状態で保持面よりもプーリの回転方向後方かつプーリ溝の外周側に位置する部位に設けるようにしてもよい。
【００２０】
この構成によれば、保持面よりもプーリの回転方向後方かつプーリ溝の外周側に位置する部位に押え部を設けるので、保持面よりもプーリ回転方向後方のプーリ溝からベルトが浮き上がるのを阻止することができる。これにより、ベルトの浮き上がりによるプーリへの巻き付け不足を防止して、ベルトがプーリ及びベルト取付治具に対して滑るのを阻止すると共に、プーリ溝に嵌めたベルトが外れるのを阻止することができ、ベルトの取り付け作業性を向上させることができる。
【００２１】
つまり、ベルト取付治具を用いてプーリにベルトを取り付ける際、ベルトを保持面で保持してプーリ回転方向後方のプーリ溝に嵌めるので、ベルト取付治具の近傍では、プーリ溝の溝底から保持面までの高さの分だけ、ベルトがプーリ溝の溝底から浮き上がりやすい。特に、プーリ径が小さい場合には、プーリに掛けたベルトのうちのプーリ溝から浮き上がった部分の占める割合が大きくなるため、プーリへの巻き付け不足によるベルトの滑りやプーリ溝からの外れを生じやすく、ベルトを強制的にプーリ溝に嵌めるよう指などでベルト背面を押さえる必要がある分、ベルトの取り付け作業性が低下しやすい。
【００２２】
これに対して、ベルト取付治具に押え部を設けることにより、指などで押えることなく、プーリ溝からのベルトの浮き上がりを防止することができ、プーリへの巻き付け不足によるベルトの滑りやプーリ溝からの外れを防止して、ベルトの取り付け作業性を向上させることができる。
【発明の効果】
【００２３】
以上のとおり、本発明によると、ベルト取付治具に捩れ防止部を設けるので、ベルトを取り付ける際、ベルトのうちの回転するプーリの軸方向外側を通る部位がプーリに接触して擦れたとしても、プーリ間に掛け渡されたベルトの捩れを防止することができる。これにより、ベルトを取り付ける際のベルトの裏返りやリブずれなどを防止することができ、ベルトの取り付け作業性を高めることができる。
【図面の簡単な説明】
【００２４】
【図１】本発明に係るベルト取付治具の上側から見た斜視図
【図２】ベルト取付治具の下側から見た斜視図
【図３】ベルト取付治具の平面図
【図４】ベルト取付治具の正面図
【図５】ベルト取付治具の背面図
【図６】ベルト取付治具の側面図
【図７】図１のベルト取付治具を用いたベルトの取付手順を説明する図
【図８】図７（ａ）のＡ矢視図
【図９】捩れ防止部のないベルト取付治具を用いたベルトの取付手順を説明する図
【図１０】図９（ａ）のＢ矢視図
【図１１】本発明の別の形態のベルト取付治具の上側から見た斜視図
【図１２】図１１のベルト取付治具の下側から見た斜視図
【図１３】図１１のベルト取付治具を用いてベルトを取り付ける様子を示す図
【図１４】従来のベルトの取付治具の斜視図
【発明を実施するための形態】
【００２５】
以下、本発明に係るベルト取付治具を実施するための形態について、図面を用いて説明する。
【００２６】
ベルト取付治具１は、例えば一対のプーリ２、３のうち、一方のプーリ２のプーリ軸方向外側に装着して使用するものであり、このベルト取付治具１及び他方のプーリ３にベルト４を掛け、プーリ２を回転させながら、プーリ２の外周面に形成されたプーリ溝５にベルト４を取り付けるものである。
【００２７】
このベルト取付治具１は、少なくともベルト４がプーリ溝５に嵌るまで、このベルト取付治具１をプーリ２に固定するための固定手段６と、ベルト４がプーリ軸方向に滑ってプーリ溝５に嵌るまで、ベルト４の一部を受けてプーリフランジ７よりもプーリ軸方向外側に保持する保持面８と、プーリ２よりもプーリ軸方向外側で保持面８よりもプーリ２の回転方向前方を通るベルト４を保持面８に導入する導入面９と、ベルト４の捩れを防止する捩れ防止部１０と、を備えている。
【００２８】
図１〜図６に示すように、ベルト取付治具１は、例えば、合成樹脂製で下面が開口された略直方体の箱状とされ、その一方の側方に固定手段６が設けられると共に、箱形状の上面に保持面８が設定されている。さらに、ベルト取付治具１の正面側端部には、Ｖ字溝１１が凹設され、このＶ字溝１１の両側部分に導入面９及び捩れ防止部１０が設定されている。
【００２９】
固定手段６は、ベルト取付治具１の正面側端部の上面付近から箱形状の側方に突出する略長方形の突出片６ａと、ベルト取付治具１の箱形状の側面に設定されたプーリ当接面６ｂと、突出片６ａの基端部の下面側に形成されてプーリフランジ７に係止される係止溝１２とから構成される。この固定手段６のプーリ当接面６ｂをプーリ２の側面に当接させつつ、突出片６ａの先端部をプーリ溝５に嵌めて基端部の係止溝１２をプーリフランジ７に係止すると共に、上面をベルト４で押えることにより、プーリ２にベルト取付治具１が固定される。
【００３０】
突出片６ａは、プーリ２の外周部と同程度の曲率に設定されると共に、基端部がベルト取付治具１の上面とほぼ面一に設定され、先端部がプーリ溝５に嵌るよう、プーリフランジ７を乗り越えた部位に段差が形成されることにより、基端部の下面側にプーリフランジ７に係止する係止溝１２が形成される。
【００３１】
保持面８は、プーリフランジ７を跨ぐ突出片６ａとほぼ面一の箱形状の上面に設定されることにより、ベルト取付治具１をプーリ２に装着した状態で、プーリフランジ７の外周面と半径方向に同程度の位置に設定される。この保持面８に保持されたベルト４は、プーリ２の回転に伴って引き伸ばされ、保持面８に連続する突出片６ａを滑ってプーリフランジ７を乗り越えてプーリ溝５に嵌る。
【００３２】
導入面９は、Ｖ字溝１１の内面のうちの固定手段６を設けた側に設定され、ベルト取付治具１をプーリ２に装着した状態で、保持面８よりもプーリ２の回転方向前方に位置する。この導入面９は、保持面８まで連続して形成されると共に、プーリ軸方向及びプーリ２の回転方向に対して傾斜して形成され、ベルト４を無理に曲げることなくプーリ溝５まで導くよう、プーリ２の軸方向外側を通るベルト４を保持面８まで滑らかに導入する。
【００３３】
捩れ防止部１０は、プーリ軸方向と直交するよう設けられた板状とされ、ベルト取付治具１のプーリ２への固定状態で、保持面８よりもプーリ２の回転方向前方かつプーリ２よりもプーリ軸方向外側に位置する。この捩れ防止部１０は、Ｖ字溝１１の両側のうちの固定手段６とは反対側に設けられて、Ｖ字溝１１の内面を構成する側の壁面１３が導入面９と対向し、壁面１３と導入面９との間にベルト４を挟んで、ベルト４のうちのプーリ２、３間に掛け渡された部位の捩れを防止するようになっている。
【００３４】
ベルト４は、テンショナーなどの張力調整手段を不要にするよう、周方向に伸長可能とされたものであり、例えばベルト本体にポリアミドからなる心線を埋設した構造とすることによって周方向の伸び率を２〜４％に設定される。なお、ベルト４として、Ｖリブドベルトを例示しているが、平ベルトなどのＶリブドベルト以外のベルトであってもよい。
【００３５】
次に、ベルト取付治具１を用いて一対のプーリ２、３にベルト４を取り付ける手順を説明する。
【００３６】
まず、図７（ａ）及び図８に示すように、ベルト取付治具１及びプーリ２、３にベルト４を掛けつつ、プーリ２のうちの張力を作用させることなくベルト４を掛けることができる位置にベルト取付治具１を装着する。
【００３７】
ベルト取付治具１をプーリ２に装着するには、突出片６ａがプーリ２側に突出してプーリフランジ７を跨ぐよう、ベルト取付治具１をプーリフランジ７のプーリ軸方向外側に配置し、固定手段６のうちのプーリ当接面６ｂをプーリ２の側面に当接させ、係止溝１２をプーリフランジ７に係止しつつ、突出片６ａの先端部をプーリ溝５に嵌める。
【００３８】
また、他のプーリ３に掛巻したベルト４をプーリ２のうちのベルト取付治具１よりもプーリ回転方向後方のプーリ溝５に嵌め、ベルト取付治具１の近傍でベルト４をプーリ軸方向に曲げるようにして、ベルト４を突出片６ａの上面に掛けてプーリフランジ７を跨がせる。さらに、ベルト取付治具１の保持面８にベルト４を掛けて、ベルト取付治具１よりもプーリ回転方向前方でプーリ２よりもプーリ軸方向外方にベルト４を通す。
【００３９】
プーリ２のプーリ軸方向外方を通るベルト４は、導入面９によって、プーリ回転方向前方から保持面８まで滑らかに導入され、さらに、ベルト幅方向に無理に曲げることなく、保持面８からプーリ溝５まで導かれる。また、導入面９に掛けられたベルト４は、導入面９と捩れ防止部１０の壁面１３との間に挟まれるようにして捩れが阻止され、ベルト４のうちのベルト取付治具１と他方のプーリ３との間に掛け渡された部位が捩れるのを防止する。
【００４０】
これにより、ベルト取付治具１およびプーリ２、３にベルト４が掛けられると共に、ベルト取付治具１がベルト４によってプーリ２の径方向内側に向けて押えられ、ベルト取付治具１がプーリ２に固定される。なお、この状態ではベルト４に張力は作用しておらず、ベルト取付治具１およびプーリ２、３に容易にベルト４を掛けることができる。
【００４１】
次いで、図７（ｂ）に示すように、プーリ２のセンターボルトに装着した例えば市販の工具１４を操作してプーリ２を回転させる。これにより、ベルト４を伸長させながら、ベルト取付治具１がプーリ回転方向前方に進み、ベルト４のうちのプーリ溝５に嵌る範囲が広がっていく。
【００４２】
その際、ベルト４のうちのベルト取付治具１と他方のプーリ３との間に掛け渡された部位がプーリ２の外周部に接触して擦れるが、捩れ防止部１０がベルト４の捩れを防止するので、ベルト４の裏返りやリブずれを生じさせることなく、プーリ２を回転させることができる。
【００４３】
ベルト取付治具１よりもプーリ回転方向後方でベルト４がプーリ溝５に嵌ってプーリ軸方向の移動を規制されているので、プーリ回転方向前方では、プーリ軸方向に曲がったベルト４の復元力によって、ベルト４をプーリ溝５に向かって移動させる力が作用する。なお、ベルト４の復元力は、ベルト張力の分力としてのスラスト力や、ベルト４の弾性力である。
【００４４】
ベルト取付治具１よりもプーリ回転方向前方で、ベルト４がプーリ２の中心付近から半径方向外向きに移動して、徐々にプーリフランジ７の外縁に近づいていく。やがて、ベルト４の復元力により、ベルト４がプーリフランジ７を乗り越えるようにして、保持面８から突出片６ａを滑ってプーリ溝５に嵌り、ベルト４が完全にプーリ２に取り付けられる。その後、プーリ２からベルト取付治具１を取り外して、ベルト４の取り付けが完了する。
【００４５】
上記構成によれば、導入面９をプーリ軸方向及びプーリの回転方向に対して傾斜して形成するので、プーリ軸方向外側を通るベルト４をベルト幅方向に無理に曲げることなく回転方向後方のプーリ溝５に掛けることができる。
【００４６】
これにより、ベルト４をベルト幅方向に無理に曲げることによるベルト長さのロスを抑えて、プーリフランジ７を乗り越える際のベルト張力を小さくすることができるので、ベルト４やプーリ２、３を装着する各種部品へのダメージを抑えて、ベルトサイズやプーリサイズを選択する際の自由度を高めることができる。しかも、ベルト幅方向に無理に曲げることによるベルト取付治具１及びプーリ２からのベルト４の浮き上がりを防止することができるので、ベルト４の巻付け不足による滑りを抑えることができ、ベルトを取り付ける際の作業性を向上させることができる。
【００４７】
また、導入面９と壁面１３を対向させて捩れ防止部１０を設けるので、プーリ２を回転させながらベルト４を取り付ける際、ベルト４のうちのベルト取付治具１と他方のプーリ３との間に掛け渡された部位がプーリ２の外周部に接触して擦れることによるベルト４の捩れを防止することができる。これにより、ベルト４が捩れることによるベルト４の裏返りやリブずれを防止することができ、ベルト４を取り付ける際の作業性を向上させることができる。
【００４８】
ここで、本発明に係るベルト取付治具１と比較する比較対象のベルト取付治具１５を用いてベルト４を取り付ける場合の様子を説明する。
【００４９】
比較対象のベルト取付治具１５は、本発明のベルト取付治具１とほぼ同じ構成であるが、導入面１６がプーリ軸方向と平行でプーリ２の回転方向のみに対して傾斜して形成され、Ｖ字溝１１及び捩れ防止部１０のない構造とされる。
【００５０】
図９（ａ）及び図１０に示すように、ベルト取付治具１５及びプーリ２、３にベルト４を掛けると、ベルト４のうち、プーリ２のプーリ軸方向外方から導入面１６及び保持面８を介してプーリ溝５まで導かれる部位が、ベルト幅方向に無理に曲げられてベルト取付治具１５及びプーリ溝５から浮き上るおそれがある。このベルト４の浮き上がりにより、ベルト長さのロスを生じてベルト張力が大きくなるおそれがあると共に、ベルト４の巻付け不足による滑りを生じて、ベルトを取り付ける際の作業性が低下するおそれがある。
【００５１】
また、図７（ｂ）に示すように、プーリ２を回転させてベルト４を取り付ける際、ベルト４のうちのベルト取付治具１５と他方のプーリ３との間に掛け渡された部位がプーリ２の外周部に接触して擦れ、ベルト４の捩れを生じて、ベルト４の裏返りやリブずれを生じるおそれがある。
【００５２】
このように、比較対象のベルト取付治具１５を用いた場合、ベルト４の浮き上がりや捩れを生じるおそれがあるが、これに対し、本発明のベルト取付治具１を用いることにより、ベルト４の浮き上がりや捩れを防止して、ベルト４を取り付ける際の作業性を向上させることができる。
【００５３】
なお、本発明は、上記の実施の形態に限定されるものではなく、本発明の範囲内において、適宜変更を加えることができる。例えば、図１１〜図１３に示すように、保持面８よりもプーリ２の回転方向後方で、ベルト４の一部をプーリ溝５の溝底に向けて押さえるようにした構成のベルト取付治具１７を採用することもできる。
【００５４】
ベルト取付治具１７は、上記実施形態のベルト取付治具１とほぼ同じ構成であるが、プーリ回転方向における固定手段１８の長さが上記実施形態のベルト取付治具１の固定手段６よりも短く設定され、ベルト取付治具１７の箱形状の背面側端部の側面に空いたスペースに、ベルト４をプーリ溝５の溝底に向けて押さえる押え部１９が設けられている。
【００５５】
固定手段１８は、ベルト取付治具１の固定手段６と同様、ベルト取付治具１７の正面側端部の上面付近から箱形状の側方に突出する略長方形の突出片１８ａと、ベルト取付治具１７の箱形状の側面に設定されたプーリ当接面１８ｂと、突出片１８ａの基端部の下面側に形成されてプーリフランジ７に係止される係止溝２０とから構成される。
【００５６】
押え部１９は、突出片１８ａと同じ側に突出する長方形の板状とされ、突出片１８ａとの間にプーリ回転方向に間隔を空けると共に、突出片１８ａの上面がなす曲面を延長した仮想曲面と略平行に設けられている。押え部１９の下面は、突出片１８ａの上面のなす曲面を延長した前記仮想曲面よりも上方に設定され、保持面８の上面に掛けたベルト４を突出片１８ａと押え部１９との間に通して押え部１９の下方に侵入させるようになっている。押え部１９の突出長さは、プーリ溝５に嵌ったベルト４を押え部１９で確実に押えるよう、突出片１８ａよりも長く設定されている。
【００５７】
ベルト取付治具１７をプーリ２に装着するには、まず、ベルト４をベルト取付治具１７のＶ字溝１１、保持面８の上方及び押え部１９の下方を通るようにセットし、次に、ベルト４をセットしたベルト取付治具１７の固定手段１８のプーリ当接面１８ｂをプーリ２の側面に当接させつつ、突出片１８ａの先端部をプーリ溝５に嵌めて、基端部の係止溝２０をプーリフランジ７に係止する。
【００５８】
以上の操作により、ベルト取付治具１７がプーリ２に装着した状態で、ベルト４のうち、保持面８よりもプーリ２の回転方向前方に位置する一部はプーリフランジ７よりもプーリ軸方向外側に通され、保持面８よりもプーリ回転方向後方に位置する一部はプーリ溝５に嵌められる。
【００５９】
プーリ２を少し回転させてベルト４に張力を付与することにより、ベルト４によってベルト取付治具１７の上面が押えられ、ベルト取付治具１７がプーリ２に固定される。これにより、ベルト取付治具１７のプーリ２への固定状態で、押え部１９が、保持面８よりもプーリ２の回転方向後方かつプーリ溝５の外周側に位置する。
【００６０】
プーリ２をさらに回転させることにより、上記実施形態と同様、プーリ溝５に嵌ったベルト４の範囲が徐々に広がり、プーリ２にベルト４が取り付けられる。その際、ベルト４によって押えられたベルト取付治具１７の押え部１９が、プーリ２に掛けたベルト４をプーリ溝５の溝底に向けて押えるので、プーリ溝５からのベルト４の浮き上がりが阻止される。これにより、ベルト４の巻き付け不足を防止して、ベルト４の滑りやプーリ溝５からの外れを阻止することができ、ベルト４の取り付けを容易にすることができる。なお、他の構成は、上記実施形態のベルト取付治具１と同じである。
【符号の説明】
【００６１】
１    ベルト取付治具
２    プーリ
３    他方のプーリ
４    ベルト
５    プーリ溝
６    固定手段
６ａ  突出片
６ｂ  プーリ当接面
７    プーリフランジ
８    保持面
９    導入面
１０  捩れ防止部
１１  Ｖ字溝
１２  係止溝
１３  壁面
１４  工具
１５  比較対象のベルト取付治具
１６  導入面
１７  ベルト取付治具
１８  固定手段
１８ａ  突出片
１８ｂ  プーリ当接面
１９  押え部
２０  係止溝
【要約】
【課題】ベルトを取り付ける際の捩れを防止することのできるベルト取付治具の提供。
【解決手段】ベルト取付治具１をプーリ２に固定するための固定手段６を設ける。ベルト４の一部を受けてプーリフランジ７よりもプーリ軸方向外側に保持する保持面８を備える。ベルト４の捩れを防止する捩れ防止部１０を設ける。捩れ防止部１０を、保持面８よりもプーリ２の回転方向前方かつプーリ２よりもプーリ軸方向外側に設ける。捩れ防止部１０が、ベルト４のうちのプーリ２の軸方向外側を通してプーリ２、３間に掛け渡された部位の捩れを防止する。
【選択図】  図７【図１】
0005416294.tif 000002
【図２】
0005416294.tif 000003
【図３】
0005416294.tif 000004
【図４】
0005416294.tif 000005
【図５】
0005416294.tif 000006
【図６】
0005416294.tif 000007
【図７】
0005416294.tif 000008
【図８】
0005416294.tif 000009
【図９】
0005416294.tif 000010
【図１０】
0005416294.tif 000011
【図１１】
0005416294.tif 000012
【図１２】
0005416294.tif 000013
【図１３】
0005416294.tif 000014
【図１４】
0005416294.tif 000015